(57)【要約】【課題】  空気調和機の室内機を壁に取り付ける際に、室内機が壁に固定された枠体に確実に取り付けられているかの確認ができる空気調和機の提供。【解決手段】  上部枠２１を壁７に取り付け、室内機１の背面上部に形成された第１係止部を上板２６に形成された上部枠係止片２８、２８に係止した状態にし、室内機１を揺動させるように壁７側に移動させる。すると、下係止部４８の上端の斜辺上を第２係止部５７の係合突部５７Ａが摺動しながら後方へ移動し、係止部４８Ａ、４８Ａに係合突部５７Ａが入り込み係止する。下部枠２２の左右両部の下部嵌合片５５、５５を上部枠２１の左右両部の上部嵌合片３１、３１の外側に位置させて夫々を嵌合させる。その後、固定部材である固定用ビス５３を下部枠側取付孔５４及び上部枠側取付孔４５、４５に螺入させることにより、下部嵌合片５５、５５と上部嵌合片３１、３１との嵌合に加え、下部枠２２を上部枠２１に固定する。【選択図】  図５
2007057158.tif 000002
【特許請求の範囲】
【請求項１】
枠体を介して室内の壁に取り付けられる室内機と、該室内機と冷媒配管にて接続された室外機とを備えた空気調和機において、前記枠体を前記壁へ取り付けられる取付板部と前記室内機の背面が係止する係止部と左右両側板の下端に形成された上部嵌合部とを備えた上部枠と、左右両側板の上端に形成され前記室内機の背面が前記係止部に係止した状態で前記上部嵌合部と嵌合する下部嵌合部を備えた下部枠とで構成したことを特徴とする空気調和機。
【請求項２】
枠体を介して室内の壁に取り付けられる室内機と、該室内機と冷媒配管にて接続された室外機とを備えた空気調和機において、前記室内機の背面上部に第１係止部及び背面下部に第２係止部を形成すると共に、前記枠体を前記壁へ取り付けられる取付板部と前記室内機の背面上部の第１係止部が係止する上係止部及び背面下部の第２係止部が係止する下係止部と左右両側板の下端に形成された上部嵌合部とを備えた上部枠と、左右両側板の上端に形成され前記室内機の背面上部の前記第１係止部が前記上係止部に係止すると共に背面下部の前記第２係止部が前記下係止部に係止した状態で前記上部嵌合部と嵌合する下部嵌合部を備えた下部枠とで構成したことを特徴とする空気調和機。
【発明の詳細な説明】
【技術分野】
【０００１】
本発明は、枠体を介して壁に取り付けられる室内機と、該室内機と冷媒配管にて接続された室外機とを備えた空気調和機に関する。
【背景技術】
【０００２】
この種の空気調和機は、例えば特許文献１などに開示されており、室外機と共に空気調和機を構成する室内機は枠体を介して室内の壁に取り付けられる。
【０００３】
そして、部屋の壁に室内機を取り付けるときに背面カバーとして使用する枠体は、例えばロの字状に形成され、この枠体はその四辺を構成する側板を備えている。そして、空気調和機を設置するときには、室外機を戸外の適所に設置すると共に、室外機と室内機とを冷媒配管などにて接続する配管工事を行う。次に、室内機を室内の壁に取り付ける際には、枠体を予め壁の適所に、例えば複数本のビスにより取り付ける。その後、室内機をこの枠体に対向させ、室内機と冷媒配管などとの接続状態を確認しながら室内機を枠体方向に移動させ、室内機の背部の周縁を枠体に当接させ押し込み、複数本のビスにより室内機と枠体とを固定する。
【特許文献１】特許第２９１９７２１号公報
【発明の開示】
【発明が解決しようとする課題】
【０００４】
上記のように室内機を枠体に接続し固定するために、室内機を枠体に対向させてこの枠体に向け移動させるが、このとき、室内機の背面が枠体に近づき枠体との間隔が小さくなり、室内機背面の係止爪と枠体に形成された係止部との係止状態が目視できず、確実に室内機が枠体に取り付けられているかの確認は困難であった。
【０００５】
そこで本発明は、空気調和機の室内機を壁に取り付ける際に、室内機が壁に固定された枠体に確実に取り付けられているかの確認ができる空気調和機を提供することを目的とする。
【課題を解決するための手段】
【０００６】
このため第１の発明は、枠体を介して室内の壁に取り付けられる室内機と、該室内機と冷媒配管にて接続された室外機とを備えた空気調和機において、前記枠体を前記壁へ取り付けられる取付板部と前記室内機の背面が係止する係止部と左右両側板の下端に形成された上部嵌合部とを備えた上部枠と、左右両側板の上端に形成され前記室内機の背面が前記係止部に係止した状態で前記上部嵌合部と嵌合する下部嵌合部を備えた下部枠とで構成したことを特徴とする。
【０００７】
また第２の発明は、枠体を介して室内の壁に取り付けられる室内機と、該室内機と冷媒配管にて接続された室外機とを備えた空気調和機において、前記室内機の背面上部に第１係止部及び背面下部に第２係止部を形成すると共に、前記枠体を前記壁へ取り付けられる取付板部と前記室内機の背面上部の第１係止部が係止する上係止部及び背面下部の第２係止部が係止する下係止部と左右両側板の下端に形成された上部嵌合部とを備えた上部枠と、左右両側板の上端に形成され前記室内機の背面上部の前記第１係止部が前記上係止部に係止すると共に背面下部の前記第２係止部が前記下係止部に係止した状態で前記上部嵌合部と嵌合する下部嵌合部を備えた下部枠とで構成したことを特徴とする。
【発明の効果】
【０００８】
本発明は、空気調和機の室内機を壁に取り付ける際に、室内機が壁に固定された枠体に確実に取り付けられているかの確認ができる。
【発明を実施するための最良の形態】
【０００９】
以下、本発明の実施の形態を図面に基づき説明する。図１は本発明に係る空気調和機の室内機の側面図であり、以下説明する。先ず、１は室外機（図示せず）に冷媒配管にて接続される空気調和機の室内機であり、この室内機１は前部２と後部３とから構成され、前部２の前面には空気吸込口４が形成され、前面下部には吹出口５が形成され、室外機に配管接続される。６は前記室内機１の後部３が固定された枠体であり、室内機１は枠体６を介して室内の壁７に据付られる。
【００１０】
また、１１及び１２は共に配管カバー１０により覆われた冷媒配管、１３及び１４は夫々入口側温水配管及び出口側温水配管である。そして、配管カバー１０（冷媒配管１１、１２）は前記後部３に設けられた断面コの字形状のスタンド１５に支持されている。また、入口側温水配管１３及び出口側温水配管１４は夫々枠体６に上下に間隔を存して設けられた断面Ｌ字状の配管押さえ１６、１７により支持されている。
【００１１】
以下、前記枠体６の構成について、図２乃至図５に基づいて詳述する。枠体６は複数の金属板を例えば溶接して形成された上部枠２１と、下部枠２２とから構成される。そして、上部枠２１は壁７或いは壁７に取り付けられた取付用の板（図示せず）に取り付けられる取付板２３と、この取付板２３の左右両側縁及び上縁から折曲して延びた左右の側板２４及び上板２６とから構成されている。取付板２３には上部枠２１を壁７などに取付けるための複数のビス取付孔２７が形成されている。
【００１２】
また、前記上板２６には、折曲された先端が上方に向いた係止部である上部枠係止片２８、２８が形成されている。更に、左右の側板２４の下端には、くの字状に折曲して下方に延び弾性を有した上部嵌合部である上部嵌合片３１が対向し且つその折曲部（頂点）３３がそれぞれ外方向を向くように形成されている。
【００１３】
また、前記取付板２３は夫々間隔を存して例えば溶接により取り付けられた支持板３７、３８、３９と、これらの支持板３７、３８、３９の下端に例えば溶接により取り付けられた連結板４１とを備えている。各支持板３７、３８、３９には、複数の取り付け用のビス取付孔４２が形成され、左側の支持板３７には上下に位置をずらして前記配管押さえ１６、１７が形成されている。また、右側の支持板３９にはドレンパイプ４０の断面Ｌ字状の支持部４３が形成されている。連結板４１の左右両部には折曲して前方へ延びた連結部である連結片４４が形成され、各連結片４４には連結用ビスの上部枠側取付孔４５が形成されている。更に、前記連結片４４にはわずか上方に折曲して取付片４６を形成し、この取付片４６にビス４７を介して弾性を有する下係止部４８を固定する。
【００１４】
一方、下部枠２２は、Ｌ字形状を呈し下板５１と左右の側板５２、５２とから構成され、下板５１の左右両部には上部枠２１の連結片４４に形成された上部枠側取付孔４５に対向した連結用ビス５３の下部枠側取付孔５４が形成されている。
【００１５】
更に、左右の側板５２、５２の上端には、上部嵌合片３１、３１に対応し、且つくの字状に折曲して上方へ延び弾性を有した下部嵌合部である下部嵌合片５５、５５が対向し、且つその折曲部（頂点）５６、５６が上部嵌合片３１、３１の折曲部３３、３３と同様に外方向を向くように形成されている。
【００１６】
なお、前記室内機の背面上部には前記上板２６に形成された上部枠係止片２８、２８に係止可能な２つの第１係止部（図示せず）を形成し、また背面下部には取付片４６に固定された下係止部４８に係止する第２係止部５７を形成する。詳述すると、前記下係止部４８の上端の斜辺中間部を切欠いて係止部４８Ａ、４８Ａを形成し、また第２係止部５７の上端下部には係合突部５７Ａを形成し、この係合突部５７Ａが各係止部４８Ａ、４８Ａに係止可能に構成する。
【００１７】
以上の構成により、以下室内機１の壁７への取付方法について説明する。まず、複数の取付用のビスを各ビス取付孔２７及び４２に通し、上部枠２１を壁７に取り付ける。次に、前記室内機１の背面上部に形成された第１係止部（図示せず）を前記上板２６に形成された上部枠係止片２８、２８に係止した状態にし（図３参照）、室内機１から延びた配管カバー１０（冷媒配管１１、１２）を壁７に開設した配管開口部内に通すと共に、入口側温水配管１３及び出口側温水配管１４を夫々上部枠２１の配管押さえ１６、１７により支持させた状態にて前記配管開口部内に通し、またドレンパイプ４０を壁７に開設したドレン開口部に通し、背面上部が係止された室内機１を揺動させるように壁７側に押し込むように移動させる。
【００１８】
すると、前記下係止部４８の上端の斜辺上を第２係止部５７の係合突部５７Ａが摺動しながら後方へ移動し、係止部４８Ａ、４８Ａに係合突部５７Ａが入り込み係止する。従って、室内機１は上部枠２１に固定されることとなる。この状態を作業者は目視で確認でき、しかも係止部４８Ａ、４８Ａへの係合突部５７Ａの入り込み状況を指先で確認でき、また入り込みが不十分であれば指を挿入して確実に入り込ませることもできる。
【００１９】
この状態で、図５に示すように、下部枠２２の左右両部の下部嵌合片５５、５５を上部枠２１の左右両部の上部嵌合片３１、３１の外側に位置させて夫々を嵌合させる。その後、固定部材である固定用ビス５３を下部枠側取付孔５４及び上部枠側取付孔４５、４５に螺入させることにより、下部嵌合片５５、５５と上部嵌合片３１、３１との嵌合に加え、下部枠２２を上部枠２１に確実に固定する。この結果、前記下係止部４８の係止部４８Ａ、４８Ａに第２係止部５７の係合突部５７Ａが入り込み係止している状態を維持するように、即ち室内機１の上部枠２１への固定を維持するように上部枠２１に下部枠２２が固定される。
【００２０】
この場合、室内機１が固定された上部枠２１に下部枠２２を固定することにより、前記下係止部４８の係止部４８Ａ、４８Ａに第２係止部５７の係合突部５７Ａが入り込んでいる状態を覆い隠すことができる。
【００２１】
なお、以上本発明の実施態様について説明したが、上述の説明に基づいて当業者にとって種々の代替例、修正又は変形が可能であり、本発明の趣旨を逸脱しない範囲で前述の種々の代替例、修正又は変形を包含するものである。
【図面の簡単な説明】
【００２２】
【図１】室内機が壁に取り付けられた状態の側面図である。
【図２】上部枠の正面図である。
【図３】壁に取り付けられた上部枠に室内機の背面上部を係止した状態の斜視図である。
【図４】下係止部の係止部に第２係止部の係合突部を係止させる前の状態の斜視部及び係止後の縦断側面図である。
【図５】室内機取付時の上部枠に下部枠を取り付けようとしている状態の斜視図である。室内機取付時の途中の状態を示す斜視図である。
【図６】上部嵌合片と下部嵌合片との嵌合状態を示す側面図である。
【符号の説明】
【００２３】
１              室内機
６              枠体
７              壁
２１            上部枠
２２            下部枠
２３            取付板
２４            側板
２６            上板
２８            上部枠係止片
３１            上部嵌合片
４８            下係止部
４７Ａ          係止部
５１            下板
５２            側板
５５            下部嵌合片
５７            第２係止部
５７Ａ          係合突部
【図１】
2007057158.tif 000003
【図２】
2007057158.tif 000004
【図３】
2007057158.tif 000005
【図４】
2007057158.tif 000006
【図５】
2007057158.tif 000007
【図６】
2007057158.tif 000008